(57)【要約】      （修正有）【課題】ユーザが複数の部門に所属している場合であっても、部門認証の操作が容易となるようユーザの利便性を向上させる。【解決手段】ユーザに対しユーザ認証情報を用いてユーザ認証処理を実行するユーザ認証部４１と、ユーザ認証部４１によって認証されたユーザに対し部門認証情報を用いて部門認証処理を実行する部門認証部４２と、ユーザ認証情報と部門認証情報とを対応付ける対応付け情報を記憶する対応付け情報記憶部４８と、ユーザ認証部４１によってユーザが認証された後で、認証に用いられたユーザ認証情報に対応付けられた部門認証情報のうちから予め設定された条件に合う部門認証情報を選択する、部門選択処理部４３とを有する。【選択図】図３
2011004087.tif 000002
【特許請求の範囲】
【請求項１】
ユーザに対しユーザ認証情報を用いてユーザ認証処理を実行するユーザ認証手段と、
前記ユーザ認証手段によって認証されたユーザに対し部門認証情報を用いて部門認証処理を実行する部門認証手段と、
前記ユーザ認証情報と前記部門認証情報とを対応付ける対応付け情報を記憶する対応付け情報記憶手段と、
前記ユーザ認証手段によってユーザが認証された後で、認証に用いられたユーザ認証情報に対応付けられた部門認証情報のうちから予め設定された条件に合う部門認証情報を前記部門認証手段に用いる部門認証情報として選択する、選択処理手段と、
を有することを特徴とする画像形成装置。
【請求項２】
表示手段を制御する表示制御手段を有し、
前記表示制御手段は、前記ユーザ認証手段によってユーザが認証されたときに、当該画像形成装置の操作を行うための操作画面を前記表示手段に表示させ、
前記選択処理手段は、認証されたユーザが当該画像形成装置に実行させるべき機能を前記操作画面において指示したときに、指示された機能について、前記部門認証情報を選択する、
請求項１記載の画像形成装置。
【請求項３】
当該画像形成装置が実行可能な機能のうちからデフォルト機能を設定するデフォルト機能設定手段を有し、
前記選択処理手段は、デフォルト機能として設定された機能について、前記部門認証情報を選択する、
請求項１記載の画像形成装置。
【請求項４】
表示手段を制御する表示制御手段と、
当該画像形成装置が実行可能な機能のうちからデフォルト機能を設定するデフォルト機能設定手段と、
前記ユーザ認証手段によってユーザが認証されたときに、前記選択処理手段に対し前記デフォルト機能として設定された機能について前記部門認証情報を選択させるか、または、前記表示制御手段に対し当該画像形成装置の操作を行うための操作画面を前記表示手段に表示させるか、のいずれかを予め選択して設定するための第１選択設定手段と、
を有する請求項１記載の画像形成装置。
【請求項５】
前記選択処理手段に対し、当該画像形成装置に実行させるべき機能が変更される度ごとに前記部門認証情報を選択させるか、または初めて選択された機能についてのみ前記部門認証情報を選択させるか、のいずれかを予め選択して設定するための第２選択設定手段と、
を有する請求項１記載の画像形成装置。
【請求項６】
ユーザが前記ユーザ認証処理および前記部門認証処理を行うことによって当該画像形成装置にログインした履歴であるログイン履歴を記録するログイン履歴記憶手段を有し、
前記選択処理手段は、前記ログイン履歴記憶手段に記録されたログイン履歴を参照し、前記ユーザ認証手段によって認証されたユーザについてログインの回数の多い部門に対応する部門認証情報を前記条件に合う部門認証情報として選択する、
請求項１ないし５のいずれかに記載の画像形成装置。
【請求項７】
ユーザが前記ユーザ認証処理および前記部門認証処理を行うことによって当該画像形成装置にログインした履歴であるログイン履歴を記録するログイン履歴記憶手段を有し、
前記選択処理手段は、前記ログイン履歴記憶手段に記録されたログイン履歴を参照し、前記ユーザ認証手段によって認証されたユーザについて直近にログインした部門に対応する部門認証情報を前記条件に合う部門認証情報として選択する、
請求項１ないし５のいずれかに記載の画像形成装置。
【請求項８】
画像に関連する処理を実行する画像形成装置に設けられたコンピュータのためのコンピュータプログラムであって、
前記コンピュータにより実行されたときに、前記画像形成装置に、
ユーザに対しユーザ認証情報を用いてユーザ認証処理を実行するユーザ認証手段と、
前記ユーザ認証手段によって認証されたユーザに対し部門認証情報を用いて部門認証処理を実行する部門認証手段と、
前記ユーザ認証情報と前記部門認証情報とを対応付ける対応付け情報を記憶する対応付け情報記憶手段と、
前記ユーザ認証手段によってユーザが認証された後で、認証に用いられたユーザ認証情報に対応付けられた部門認証情報のうちから予め設定された条件に合う部門認証情報を選択する、選択処理手段と、
を実現させることを特徴とするコンピュータプログラム。
【発明の詳細な説明】
【技術分野】
【０００１】
本発明は、画像形成装置およびコンピュータプログラムに関する。
【背景技術】
【０００２】
近年のセキュリティ意識の高まりにより、ユーザ認証を使用する環境が増えている。 また、グループまたは部門ごとの予算管理のため、ユーザ認証とともに部門認証（部門管理）を併用しているオフィス環境も存在する。
【０００３】
しかし、画像形成装置においてユーザ認証および部門認証を併用した場合は、ユーザは画像形成装置へのログインが許可されるまでに２回の認証を経なければならず、操作時間が増大してしまう。
【０００４】
例えば、ユーザの認証情報（ユーザ認証情報）にそのユーザが所属する部門に関する情報（部門情報）を保持させて、ユーザ認証と併せて部門認証を行う機能が存在する。この機能を使用する場合は、ユーザ認証情報に部門情報を登録する作業が必要であり、その作業は、通常、管理者が行う。また、ユーザ自身で登録する場合は、登録画面にて登録する必要がある。しかし、ユーザ認証情報に部門情報を登録するこれらの操作は、管理者およびユーザにとって煩雑であった。
【０００５】
そこで、予めユーザと部門とを対応付けて（紐付けて）おいて、ユーザ認証によりユーザが認証されるとユーザに対応付けられている部門へのログインを許可する連動機能が存在する。この連動機能を使用する場合は、管理者は各ユーザのユーザ認証情報を操作する必要はなく、また、ユーザはユーザ認証による認証を行うだけで部門へのログインが可能となる。
【０００６】
これに関連して、使用者の指紋データを部門番号と関連付けてＲＡＭに予め登録しておき、使用時に読み取った使用者の指紋データと登録された指紋データとを比較し、それが認証された場合に、指紋データに関連付けて登録されている部門番号で画像形成装置を使用可能状態にする制御方法が提案されている（特許文献１）。
【先行技術文献】
【特許文献】
【０００７】
【特許文献１】特開２００３−１９５７０４号公報
【発明の概要】
【発明が解決しようとする課題】
【０００８】
しかし、近年においてオフィス環境が大きくなっており、そのため管理の必要なユーザおよび部門（プロジェクト）の数が増大している。また、ユーザが所属する部門は１つであるとは限らず、複数の部門に同時に所属していることも少なくない。
【０００９】
ユーザが複数の部門に所属している場合には、ユーザ認証を行った後で必ず部門を選択する必要がある。そのため、ユーザの所属部門が増えるにしたがって、それら所属部門を表示するためのページの切り換えなどが必要となり、部門の選択のための操作が煩雑となる。
【００１０】
さらに、画像形成装置が提供するコピーやファクシミリなどの機能に応じて、出力物の利用用途が異なる場合がある。そのため、選択すべき部門が機能ごとに異なる場合も想定され、その場合には機能ごとにユーザ認証を行う必要があり、操作が一層煩雑となる。
【００１１】
このように、現状の認証方法では画像形成装置を使用可能な状態とするまでに煩雑な操作を要するという問題がある。
【００１２】
本発明は、上述の問題に鑑みてなされたもので、ユーザが複数の部門に所属している場合であっても、部門認証の操作が容易となるようユーザの利便性を向上させることを目的とする。
【課題を解決するための手段】
【００１３】
本発明に係る装置は、ユーザに対しユーザ認証情報を用いてユーザ認証処理を実行するユーザ認証手段と、前記ユーザ認証手段によって認証されたユーザに対し部門認証情報を用いて部門認証処理を実行する部門認証手段と、前記ユーザ認証情報と前記部門認証情報とを対応付ける対応付け情報を記憶する対応付け情報記憶手段と、前記ユーザ認証手段によってユーザが認証された後で、認証に用いられたユーザ認証情報に対応付けられた部門認証情報のうちから予め設定された条件に合う部門認証情報を前記部門認証手段に用いる部門認証情報として選択する、選択処理手段と、を有する。
【００１４】
選択処理手段によって、ユーザ認証情報に対応付けられた部門認証情報のうちから予め設定された条件に合う部門認証情報が選択される。これにより、ユーザによる部門認証情報の選択が容易となる。
【発明の効果】
【００１５】
本発明によると、ユーザが複数の部門に所属している場合であっても、部門認証の操作が容易となるようユーザの利便性を向上させることができる。
【図面の簡単な説明】
【００１６】
【図１】画像形成装置を含むネットワークシステムの例を示す図である。
【図２】画像形成装置のハードウェア構成の例を示す図である。
【図３】画像形成装置の機能的な構成の例を示すブロック図である。
【図４】操作パネルの例を示す図である。
【図５】ユーザ認証情報の例を示す図である。
【図６】部門認証情報の例を示す図である。
【図７】対応付け情報の例を示す図である。
【図８】ユーザ認証画面の例を示す図である。
【図９】初期の操作画面の例を示す図である。
【図１０】部門認証画面の例を示す図である。
【図１１】部門選択画面の例を示す図である。
【図１２】部門選択画面の例を示す図である。
【図１３】部門選択画面の例を示す図である。
【図１４】部門選択画面の例を示す図である。
【図１５】部門選択画面の例を示す図である。
【図１６】部門選択方法設定画面の例を示す図である。
【図１７】部門選択時の表示方法設定画面の例を示す図である。
【図１８】部門選択設定画面の例を示す図である。
【図１９】部門選択実施設定画面の例を示す図である。
【図２０】画像形成装置に対するログインの処理の例を示すフローチャートである。
【図２１】画像形成装置に対するログインの処理の例を示すフローチャートである。
【図２２】画像形成装置に対するログインの処理の例を示すフローチャートである。
【図２３】画像形成装置に対するログインの処理の例を示すフローチャートである。
【図２４】画像形成装置に対するログインの処理の例を示すフローチャートである。
【図２５】画像形成装置に対するログインの処理の例を示すフローチャートである。
【図２６】画像形成装置に対するログインの処理の例を示すフローチャートである。
【図２７】画像形成装置に対するログインの処理の例を示すフローチャートである。
【図２８】画像形成装置に対するログインの処理の例を示すフローチャートである。
【図２９】画像形成装置に対するログインの処理の例を示すフローチャートである。
【図３０】画像形成装置の設置場所と部門との関連を説明するための図である。
【発明を実施するための形態】
【００１７】
図１に示すネットワークシステムＮＳは、本発明の一実施形態の画像形成装置１を含むネットワークシステムである。
【００１８】
図１に示すように、ネットワークシステムＮＳは、画像形成装置１、端末装置２、および通信回線３などによって構成される。通信回線３として、ＬＡＮ、インターネット、公衆回線、または専用線などが用いられる。
【００１９】
画像形成装置１は、コピー、ネットワークプリンティング、ＦＡＸ、スキャナ、およびドキュメントサーバなどの機能を集約した装置である。
【００２０】
本実施形態の画像形成装置１には、上記のコピー機能などの基本的な機能のほかに、ユーザ認証機能、部門認証機能、および部門管理機能などが備えられている。ユーザ認証機能によって、画像形成装置１にログインしようとするユーザが予め登録されたユーザであるか否かが認証される。部門認証機能によって、部門（またはグループ）を指定してログインしようとするユーザが、指定した部門において画像形成装置１の使用が認められたユーザであるか否かが認証される。言い換えると、指定された部門での画像形成装置１へのログインが許可されているユーザであるか否かが認証される。部門でのログインが許可されると、つまり部門認証が行われると、ユーザによる画像形成装置１のその使用に対して、認証された部門に課金が行われる。
【００２１】
部門管理機能によって、画像形成装置１に備えられている種々の機能の使用に対し、その課金情報が部門ごとに管理される。また、部門管理機能によって、部門に所属するユーザの管理、課金に関するユーザへの制約、連動部門認証の可否などが管理される。なお、「部門」には、種々の組織または社会における部門、グループ、プロジェクト、または組織それ自体などが含まれる。
【００２２】
図２に示すように、画像形成装置１は、画像入力部２１、画像出力部２２、画像メモリ部２３、操作／表示部（操作パネル）２４、圧縮／復号部２５、メーラ２６、制御部２７、ＲＯＭ２８、ＲＡＭ２９、および通信部３０などを備える。
【００２３】
画像入力部２１は、画像データを入力する。画像入力部２１には、原稿の画像を光学的に読み取って画像データを出力するスキャナが含まれる。画像出力部２２は、画像形成装置１の内部で処理された画像データを出力する。画像出力部２２には、用紙上に画像を印刷するプリンタが含まれる。画像メモリ部２３は、入力された画像データおよび圧縮処理された画像データなどを一時的に格納する。
【００２４】
操作パネル２４は、図４に示すように、各種の操作キーＫＹ、および、ＬＣＤ（Liquid Crystal Display）を含むタッチパネルＴＰなどから構成される。操作キーＫＹには、テンキーＫＹ１、スタートキーＫＹ２、スキャンキーＫＹ３、ファクスキーＫＹ４、コピーキーＫＹ５などが含まれる。タッチパネルＴＰには、画像形成装置１を操作するための種々の画面が表示される。ユーザは、操作キーＫＹおよびタッチパネルＴＰに表示されたキーなどを操作して、画像形成装置１に指令を与える。また、タッチパネルＴＰには、認証を行うための画面、部門認証のための部門名、メッセージ、その他の種々の画像や文字などが表示される。
【００２５】
圧縮／復号部２５は、入力された画像データを必要に応じて圧縮し、または符号データを伸張するための処理を行う。制御部２７は、ＣＰＵおよび周辺回路などからなり、ＲＯＭ２８およびＲＡＭ２９などに記憶されたプログラム（コンピュータプログラム）をＣＰＵが実行することにより、認証処理、画像処理などを行い、また画像形成装置１の全体を制御する。そのようなプログラムは、適当な記録媒体ＭＳを介して入力され、または通信部３０を介してダウンロードされ、ＲＡＭ２９や図示しないハードディスク装置などにインストールされる。通信部３０は、通信回線３との間、および種々の機器との間のインタフェ−スを司る。
【００２６】
本実施形態においては、特に制御部２７による認証処理を中心に説明する。制御部２７による認証処理の要点は次のとおりである。
【００２７】
すなわち、制御部２７において、ユーザに対しユーザ認証情報を用いてユーザ認証処理を実行するユーザ認証手段と、ユーザ認証手段によって認証されたユーザに対し部門認証情報を用いて部門認証処理を実行する部門認証手段と、ユーザ認証情報と部門認証情報とを対応付ける対応付け情報を記憶する対応付け情報記憶手段と、ユーザ認証手段によってユーザが認証された後で、認証に用いられたユーザ認証情報に対応付けられた部門認証情報のうちから予め設定された条件に合う部門認証情報を選択する、選択処理手段と、が設けられる。
【００２８】
また、表示手段を制御する表示制御手段が設けられる。表示制御手段は、ユーザ認証手段によってユーザが認証されたときに、画像形成装置１の操作を行うための操作画面を表示手段に表示させ、選択処理手段は、認証されたユーザが当該画像形成装置に実行させるべき機能を操作画面において指示したときに、指示された機能について、部門認証情報を選択することが可能である。
【００２９】
また、画像形成装置１が実行可能な機能のうちからデフォルト機能を設定するデフォルト機能設定手段を有し、選択処理手段は、デフォルト機能として設定された機能について、部門認証情報を選択することも可能である。
【００３０】
また、画像形成装置１には、表示手段を制御する表示制御手段と、当該画像形成装置が実行可能な機能のうちからデフォルト機能を設定するデフォルト機能設定手段と、ユーザ認証手段によってユーザが認証されたときに、選択処理手段に対しデフォルト機能として設定された機能について部門認証情報を選択させるか、または、表示制御手段に対し当該画像形成装置の操作を行うための操作画面を表示手段に表示させるか、のいずれかを予め選択して設定するための第１選択設定手段とが設けられることもある。
【００３１】
また、選択処理手段に対し、当該画像形成装置に実行させるべき機能が変更される度ごとに部門認証情報を選択させるか、または初めて選択された機能についてのみ部門認証情報を選択させるか、のいずれかを予め選択して設定するための第２選択設定手段とが設けられることもある。
【００３２】
また、ユーザがユーザ認証処理および部門認証処理を行うことによって当該画像形成装置にログインした履歴であるログイン履歴を記録するログイン履歴記憶手段を有し、選択処理手段は、ログイン履歴記憶手段に記録されたログイン履歴を参照し、ユーザ認証手段によって認証されたユーザについてログインの回数の多い部門に対応する部門認証情報を条件に合う部門認証情報として選択することもある。
【００３３】
また、ユーザがユーザ認証処理および部門認証処理を行うことによって当該画像形成装置にログインした履歴であるログイン履歴を記録するログイン履歴記憶手段を有し、選択処理手段は、ログイン履歴記憶手段に記録されたログイン履歴を参照し、ユーザ認証手段によって認証されたユーザについて直近にログインした部門に対応する部門認証情報を条件に合う部門認証情報として選択することもある。
【００３４】
以下、画像形成装置１における認証処理について、図を参照してさらに具体的に詳しく説明する。
【００３５】
図３には、画像形成装置１の制御部２７によって機能的に実現される認証処理部ＮＳの構成が示されている。
【００３６】
図３において、認証処理部ＮＳには、ユーザ認証部４１、部門認証部４２、部門選択処理部４３、表示制御部４４、制御処理部４５、ユーザ認証情報記憶部４６、部門認証情報記憶部４７、対応付け情報記憶部４８、履歴情報記憶部４９、および設定部５０などが設けられる。設定部５０は、デフォルト機能設定部５１、第１選択設定部５２、第２選択設定部５３などを有する。
【００３７】
ユーザ認証部４１は、ユーザに対し、ユーザ認証情報ＵＮＪを用いてユーザ認証処理を実行する。つまり、ユーザによって入力されたユーザＩＤおよびパスワードと、ユーザ認証情報記憶部４６に記憶されたユーザ認証情報ＵＮＪとを比較する。それらが一致すれば、ユーザ認証が成功したこととなる、つまりユーザ認証が行われたこととなる。それらが一致しない場合には、ユーザ認証は不成功（失敗）ということとなる、つまりユーザ認証はされなかったこととなる。
【００３８】
部門認証部４２は、ユーザに対し、部門認証情報ＢＮＪを用いて部門認証処理を実行する。部門認証処理の方法には次に記載する方法がある。
【００３９】
第１の方法は、ユーザによって直接に入力された部門番号（部門情報）およびパスワードと、ユーザ認証情報記憶部４６に記憶されたユーザ認証情報ＵＮＪとを比較し、一致すれば部門認証が行われる。
【００４０】
第２の方法は、ユーザ認証情報ＵＮＪと部門認証情報ＢＮＪとを予め対応付けた対応付け情報ＨＪを用い、ユーザ認証が行われたユーザに対して、当該ユーザのユーザ認証情報ＵＮＪに対応付けられた部門認証情報ＢＮＪで示される部門のうちのいずれかの部門が指定されまたは選択されることによって、その指定されまたは選択された部門について自動的に部門認証を行う。
【００４１】
つまり、ユーザ認証処理による認証のみで、当該ユーザに対応付けられた部門についての部門認証が行われ、その部門でのログインが許可されることとなる。第２の方法による部門認証は、部門認証がユーザ認証に連動していることから、「連動部門認証」ということがある。また、後述する対応付け情報ＨＪに基づいて部門認証が行われるので、「対応付け認証」ということもある。
【００４２】
このように、連動部門認証では、ユーザは、部門番号およびパスワードを直接に入力することなく、所望の部門を予め対応付け情報ＨＪとして登録（対応付け登録、または連動登録）しておくことによって、部門認証が行われることとなる。
【００４３】
なお、連動部門認証を行うか否かについて、オンまたはオフを設定しておくことができる。連動部門認証を行うように設定されたときは、ユーザ認証が行われた直後に連続して、またはユーザ認証が行われた後であって部門認証を行う必要が生じたときに、連動部門認証が実行される。連動部門認証を行わないように設定されたときは、ユーザ認証が行われた直後に、またはユーザ認証が行われた後であって部門認証を行う必要が生じたときに、上に述べた第１の方法によって部門認証が行われる。連動部門認証のオンオフは、各ユーザに対して個別に設定することが可能である。
【００４４】
部門選択処理部４３は、ユーザ認証部４１によってユーザが認証された後で、認証に用いられたユーザ認証情報ＵＮＪに対応付けられた部門認証情報ＢＮＪのうちから予め設定された条件（ルール）に合う部門認証情報ＢＮＪを選択する。つまり、部門選択処理部４３は、部門認証を行う際に、または連動部門認証を行う際に、複数の部門認証情報ＢＮＪの中から条件に合った部門認証情報ＢＮＪを選択する。
【００４５】
なお、「部門認証情報ＢＮＪを選択する」とは、ユーザにとっては部門認証情報ＢＮＪに示される部門を選択することである。したがって、「部門認証情報ＢＮＪに示される部門」を、「部門ＢＮＪ」と記載することがある。
【００４６】
また、部門選択処理部４３は、部門ＢＮＪを選択する際に、ユーザによって指示された機能について、またはデフォルト機能設定部５１でデフォルト機能として設定された機能について、部門ＢＮＪを選択する。
【００４７】
なお、デフォルト機能は、画像形成装置１が実行可能な機能のうちから選択され、デフォルト機能設定部５１に設定される。画像形成装置１が実行可能な機能として、コピー機能、ファクス機能、スキャン機能、メ−ル機能などがある。
【００４８】
部門選択処理部４３の動作について、オンオフを設定することができる。例えば、図１６に示す部門選択方法設定画面ＧＭ８において、「絞り込みを行う」のボックスＢＸ１を選択してＯＫキーＫＹ２１を押すと、部門選択処理部４３による部門選択処理が実行されるように設定され、「絞り込みを行わない」のボックスＢＸ２を選択してＯＫキーＫＹ２１を押すと、部門選択処理部４３による部門選択処理が実行されないように設定される。これにより、部門の選択（前選択）を画像形成装置１が自動的に行うか、ユーザが全部を自分で行うかを、選択することができる。
【００４９】
また、部門選択処理部４３において部門選択処理が行われた際に、選択された部門ＢＮＪをどのように表示するかについて、種々の設定を行うことが可能である。例えば、図１７に示す部門選択時の表示方法設定画面ＧＭ９において、３種類の表示方法を設定することができる。
【００５０】
表示方法設定画面ＧＭ９において、「優先度の高い１部門を表示」のボックスＢＸ３を選択してＯＫキーＫＹ２２を押すと、複数の部門のうちから優先度の最も高い１つの部門のみが選択され、それがタッチパネルＴＰに表示される。
【００５１】
表示方法設定画面ＧＭ９において、「優先度の高い上位部門を表示」のボックスＢＸ４を選択しかつ「表示数」に数値を入力してＯＫキーＫＹ２２を押すと、複数の部門のうち優先度の高い方から「表示数」で指定された数の部門が選択され、それらがタッチパネルＴＰに表示される。
【００５２】
表示方法設定画面ＧＭ９において、「優先度の高い順序で並び替えて表示」のボックスＢＸ５を選択してＯＫキーＫＹ２２を押すと、複数の部門が優先度の高い順序で並び替えられてタッチパネルＴＰに表示される。
【００５３】
さらに、部門選択処理部４３において、画像形成装置１に実行させるべき機能が変更される度ごとに部門ＢＮＪを選択するか、または選択された機能が初めて選択された場合についてのみその機能についての部門ＢＮＪを選択するかが、第２選択設定部５３における設定内容によって決められる。
【００５４】
選択された部門ＢＮＪは、操作パネル２４の表示面に表示される。部門選択処理部４３において、部門ＢＮＪを選択する際の条件として、種々の条件を用いることができる。それらの条件については後で説明する。なお、「部門ＢＮＪを選択する際の条件」は、「選択した部門ＢＮＪを表示するときの条件」と言い換えることが可能である。
【００５５】
表示制御部４４は、操作パネル２４のタッチパネルＴＰの表示部を制御する。表示制御部４４は、例えば、ユーザ認証部４１によってユーザが認証されたときに、それに続いて連動部門認証のための画面を表示部に表示させることができ、または、画像形成装置１の操作を行うための操作画面を表示部に表示させることができる。いずれの画面を表示させるかについては、第１選択設定部５２の設定内容によって決められる。
【００５６】
制御処理部４５は、ユーザ認証部４１、部門認証部４２、部門選択処理部４３などを制御し、また、画像入力部２１、画像出力部２２、操作パネル２４、メーラ２６、その他画像形成装置１の各部を制御する。
【００５７】
ユーザ認証情報記憶部４６は、ユーザ認証情報ＵＮＪを記憶する。ユーザ認証情報ＵＮＪとして、図５に示すように、ユーザＩＤ（ＵＩＤ）、パスワードＵＰＷ、機能制限事項ＵＫＳ、およびカウント上限ＵＣＪなどが記録される。機能制限事項ＵＫＳとして、例えば、使用できない機能、使用できる機能についての制限事項などが記録される。カウント上限ＵＣＪとして、各機能についての使用可能回数などが記録される。
【００５８】
部門認証情報記憶部４７は、部門認証情報ＢＮＪを記憶する。部門認証情報ＢＮＪとして、図６に示すように、部門番号ＢＢＧ、部門名ＢＮＭ、パスワードＢＰＷ、機能制限事項ＢＫＳ、カウント上限ＢＣＪ、および登録日ＴＲＢなどが記録される。なお、部門番号ＢＢＧとして、部門ＩＤまたは部門コードなどを用いてもよい。
【００５９】
対応付け情報記憶部４８は、対応付け情報ＨＪを記憶する。対応付け情報ＨＪとして、図７に示すように、ユーザＩＤに対して、機能ＫＮごとに１つまたは複数の部門番号ＢＢＧが記録される。例えば、ユーザＩＤが「Ｕ００１」のユーザについては、「コピー」の機能ＫＮに対して「１」「２」「３」の各部門番号ＢＢＧが、「ファクス」の機能ＫＮに対して「１」「２」の各部門番号ＢＢＧが、それぞれ対応付け情報ＨＪとして記録されている。
【００６０】
このように、対応付け情報ＨＪは、画像形成装置１を使用するユーザと各部門とを対応付ける情報である。対応付け情報ＨＪは、ユーザまたは画像形成装置１の管理者によって予め記録される。なお、このような「対応付け」を行うことを「紐付け」を行うということがあり、また、「対応付け情報」を「紐付け情報」ということがある。
【００６１】
なお、図７に示す例では、１人のユーザの１つの機能ＫＮに対して３つ程度の部門ＢＮＪ（部門番号ＢＢＧ）が記録されているだけであるが、さらに多数の部門ＢＮＪが記録されることがしばしばある。その場合に、ユーザは、それら多数の部門ＢＮＪのうちから１つを選択する必要があるが、ユーザの選択を補助するために、部門選択処理部４３は、予め設定された条件に合う部門ＢＮＪを選択するのである。
【００６２】
履歴情報記憶部４９は、ログイン履歴ＬＲを記憶する。ログイン履歴ＬＲは、ユーザがユーザ認証処理および部門認証処理を行うことによって画像形成装置１にログインした履歴を示す情報である。
【００６３】
図８にログイン履歴ＬＲの例が示されている。図８（Ａ）〜（Ｃ）に示すログイン履歴ＬＲ１〜３は、それぞれユーザＩＤが「Ｕ００１」「Ｕ００２」「Ｕ００３」であるユーザについてのログイン履歴ＬＲである。
【００６４】
各ログイン履歴ＬＲにおいて、各ユーザについて、画像形成装置１にログオンした日時ＮＪ、機能ＫＮ、部門番号ＢＢＧが記録されている。ユーザが新しく画像形成装置１にログオンするたび毎に、ログイン履歴ＬＲは更新される。
【００６５】
部門選択処理部４３は、ログイン履歴ＬＲを参照し、ユーザ認証部４１によって認証されたユーザについて、ログインの回数の多い部門に対応する部門ＢＮＪ（部門番号ＢＢＧ）を、条件に合う部門ＢＮＪとして選択することができる。
【００６６】
その場合に、例えば、図８（Ａ）のログイン履歴ＬＲ１によると、「コピー」については部門番号ＢＢＧが「１」の部門が選択され、「ファクス」については部門番号ＢＢＧが「２」の部門が選択される。
【００６７】
また、部門選択処理部４３は、ログイン履歴ＬＲを参照し、ユーザ認証部４１によって認証されたユーザについて、直近にログインした部門に対応する部門ＢＮＪ（部門番号ＢＢＧ）を、条件に合う部門ＢＮＪとして選択することができる。
【００６８】
その場合に、例えば、図８（Ａ）のログイン履歴ＬＲ１によると、「コピー」については部門番号ＢＢＧが「１」の部門が選択され、「ファクス」については部門番号ＢＢＧが「２」の部門が選択される。
【００６９】
デフォルト機能設定部５１は、ユーザの指示によって、１つの機能ＫＮをデフォルト機能として設定する。つまり、部門選択処理部４３がユーザについての部門ＢＮＪを選択する際に、その機能ＫＮを指定する必要があるが、指定すべき機能ＫＮをデフォルト機能として予め設定するのである。
【００７０】
第１選択設定部５２は、ユーザ認証部４１によってユーザが認証されたときに連動部門認証のための画面を表示させるかまたは操作画面を表示させるかを、予め設定する。
【００７１】
例えば、図１８に示す部門選択設定画面ＧＭ１０において、「する」のボックスＢＸ６を選択してＯＫキーＫＹ２３を押すと、ユーザが認証されたときにそれに続いて連動部門認証のための画面、例えば画面ＧＭ４〜画面ＧＭ７などを表示させるように設定される。「しない」のボックスＢＸ７を選択してＯＫキーＫＹ２３を押すと、ユーザが認証されたときに操作画面ＧＭ２を表示部に表示させるように設定される。
【００７２】
第１選択設定部５２への設定は、画像形成装置１の管理者またはユーザが行う。また、ユーザごとに設定することも可能であり、その場合には、各ユーザがその設定を行うことができる。
【００７３】
第２選択設定部５３は、機能が変更される度ごとに部門ＢＮＪを選択するか、またはその機能が初めて選択された場合についてのみその機能についての部門ＢＮＪを選択するかを、予め設定する。
【００７４】
例えば、図１９に示す部門選択実施設定画面ＧＭ１１において、「初回のみ実施」のボックスＢＸ８を選択してＯＫキーＫＹ２４を押すと、その機能が初めて選択された場合についてのみ、その機能についての部門ＢＮＪの選択が行われるように設定される。したがって、同じ機能が次に選択されたときには、部門選択処理は行われず、最初に選択された部門ＢＮＪが適用される。
【００７５】
また、「毎回実施」のボックスＢＸ９を選択してＯＫキーＫＹ２４を押すと、機能が変更される度ごとに部門ＢＮＪの選択が行われるように設定される。したがって、同じ機能が次に選択されたときでも、その選択のたび毎に部門選択処理が行われる。
【００７６】
第２選択設定部５３への設定は、画像形成装置１の管理者またはユーザが行う。また、ユーザごとに設定することも可能であり、その場合には、各ユーザがその設定を行うことができる。
【００７７】
また、設定部５０によって、上に述べた以外の種々の設定を行うことができる。例えば、ユーザに対するユーザ認証が行われた後に、当該ユーザについての部門認証処理を当該ユーザについて登録されている全ての機能ＫＮについて一括して行う。つまり、全ての機能ＫＮに対して、１回の部門認証で済ませてしますように設定することができる。
【００７８】
次に、画像形成装置１に対してログインするまでの認証処理、特に部門ＢＮＪを選択する際の条件について、図９〜図１９を参照しながら説明する。
【００７９】
なお、各画面ＧＭに示される表示内容は、単なる例であり、ユーザ認証情報ＵＮＪ、部門認証情報ＢＮＪ、対応付け情報ＨＪなどの内容と互いに一致しないことがある。
【００８０】
画像形成装置１の電源スイッチがオンになった状態で、ユーザが画像形成装置１を使用するために、ユーザ認証が行われる。
【００８１】
図９には、タッチパネルＴＰの表示部に表示されたユーザ認証画面ＧＭ１が示されている。ユーザ認証画面ＧＭ１において、ユーザは、ユーザＩＤおよびパスワードを入力し、ログインキーＫＹ１１を押す。これによって、ユーザ認証処理が行われる。
【００８２】
ユーザ認証が行われると、第１選択設定部５２における設定に応じた画面が表示される。操作画面を表示させるように設定されていれば、図１０に示すように、初期の操作画面ＧＭ２が表示される。ユーザが操作画面ＧＭ２または操作パネル２４において操作を行って部門認証の必要が生じると、部門認証処理のための画面が表示される。
【００８３】
例えば、図４の操作パネル２４においてファクスキーＫＹ４を押すと、タッチパネルＴＰに図１１に示されるような部門認証画面ＧＭ３が表示される。
【００８４】
図１１の部門認証画面ＧＭ３において、ユーザは、部門番号ＢＢＧおよびパスワードを入力し、ログインキーＫＹ１２を押す。これによって、部門認証処理が行われる。
【００８５】
また、第１選択設定部５２において連動部門認証のための画面を表示させるように設定されていれば、連動部門認証のための画面が表示される。
【００８６】
その際に、例えば図１６の「絞り込みを行わない」との設定がなされていれば、図１２に示すような部門選択画面ＧＭ４が表示される。
【００８７】
図１２に示す部門選択画面ＧＭ４では、ユーザについて対応付け情報ＨＪとして登録された全ての部門ＢＮＪが表示されている。つまり、部門選択画面ＧＭ４では、当該ユーザについて、「ファクス」の機能ＫＮに対して対応付け情報ＨＪに登録された全ての部門ＢＮＪが、その部門番号ＢＢＧの順に表示される。
【００８８】
ただし、図１２の部門選択画面ＧＭ４においては、５つの部門ＢＮＪが表示されているが、対応付け情報ＨＪに登録された全ての部門ＢＮＪが同じ画面で同時に表示されていない。つまり、全ての部門ＢＮＪが１ページに表示されている分けではない。
【００８９】
ここでの例では、部門番号ＢＢＧが「１」〜「７」の「ＭＭＭ」「ＸＸＸ」「ＡＡＡ」「ＦＦＦ」「ＢＢＢ」「ＧＧＧ」「ＫＫＫ」の７つの部門ＢＮＪが、対応付け情報ＨＪに登録された全ての部門ＢＮＪである。この場合に、ページを切り換えることによって、残りの部門ＢＮＪが表示される。この例では、部門選択画面ＧＭ４において縦方向にスクロールさせることによって、残りの部門ＢＮＪが表示される。
【００９０】
ユーザは、必要に応じてスクロールさせ、表示された部門ＢＮＪの中から１つの部門ＢＮＪを選択する。そして、ＯＫキーＫＹ１３を押すと、選択した部門ＢＮＪについての連動部門認証が終了し、「ファクス」の機能が使用できる状態となる。そのときに、タッチパネルＴＰには、ファクス機能についての基本画面が表示される。
【００９１】
なお、図１２の部門選択画面ＧＭ４において、部門番号ＢＢＧの表示を省略してもよい。
【００９２】
また、例えば図１６の「絞り込みを行う」との設定がなされ、かつ図１７の「優先度の高い１部門を表示」との設定がなされていれば、図１３に示すような部門選択画面ＧＭ５が表示される。
【００９３】
図１３に示す部門選択画面ＧＭ５では、ユーザについて対応付け情報ＨＪとして登録された部門ＢＮＪのうち、最も優先度の高い部門ＢＮＪである「ＡＢＣ」が表示されている。なお、優先度をどのように決めるかの条件については、予め設定されている。条件に適合する最も優先度の高い部門ＢＮＪが複数あった場合には、それら複数の部門ＢＮＪを全部表示する。
【００９４】
ユーザは、表示された部門ＢＮＪでよい場合には、ＯＫキーＫＹ１４を押すことによって連動部門認証が終了し、「ファクス」の機能が使用できる状態となる。表示された部門ＢＮＪを選択したくない場合には、他部門から選択キーＫＹ１５を押すと、ユーザについて対応付け情報ＨＪとして登録された他の部門ＢＮＪが一覧表示される。ユーザは、その一覧表示された中から部門ＢＮＪを選択する。
【００９５】
また、例えば図１７の「優先度の高い上位部門を表示」との設定がなされ、「表示数」として「３」が設定されていれば、図１４に示すような部門選択画面ＧＭ６が表示される。
【００９６】
図１４に示す部門選択画面ＧＭ６では、ユーザについて対応付け情報ＨＪとして登録された部門ＢＮＪのうち、優先度の高い３つの部門ＢＮＪである「ＤＥＦ」「ＧＨＩ」「ＡＢＣ」が表示されている。
【００９７】
ユーザは、表示された部門ＢＮＪの中から所望の１つの部門ＢＮＪを選択し、ＯＫキーＫＹ１６を押すことによって連動部門認証が終了し、選択した機能を使用できる状態となる。表示された部門ＢＮＪに所望の部門ＢＮＪがない場合には、他部門から選択キーＫＹ１７を押すと、ユーザについて対応付け情報ＨＪとして登録された他の部門ＢＮＪが一覧表示される。ユーザは、その一覧表示された中から部門ＢＮＪを選択する。
【００９８】
また、例えば図１７の「優先度の高い順序で並び替えて表示」との設定がなされていれば、図１５に示すような部門選択画面ＧＭ７が表示される。
【００９９】
図１５に示す部門選択画面ＧＭ７では、ユーザについて対応付け情報ＨＪとして登録された全ての部門ＢＮＪが、優先度の高い順に並び替えられて表示されている。つまり、図１５の部門選択画面ＧＭ７では、図１２の部門選択画面ＧＭ４に示される部門ＢＮＪを優先度の高い順に並び替えたものである。
【０１００】
ユーザは、表示された部門ＢＮＪの中から所望の１つの部門ＢＮＪを選択し、ＯＫキーＫＹ１８を押すことによって連動部門認証が終了し、選択した機能を使用できる状態となる。
【０１０１】
次に、画像形成装置１に対するログインの処理の種々の例について、図２０〜図２９に示すフローチャートを参照しながら説明する。
【０１０２】
図２０において、まず、ユーザ認証画面ＧＭ１において、ユーザがユーザＩＤおよびパスワードＵＰＷを入力することにより、ユーザ認証を行う（＃１１）。ユーザ認証が行われると（＃１２でイエス）、画像形成装置１の操作が可能となる。
【０１０３】
ユーザの操作により、またはデフォルト機能として設定された内容などによって、機能ＫＮの選択が行われる（＃１３）。
【０１０４】
選択されたユーザおよび機能に対して、１つの部門ＢＮＪのみが対応付けされている場合（＃１４でノー）、その１つの部門ＢＮＪでログインする（＃１９）。
【０１０５】
複数の部門ＢＮＪが対応付けされている場合（＃１４でイエス）、部門選択処理部４３による部門ＢＮＪの選択が行われる（＃１５）。そして、条件に合う部門ＢＮＪが表示される（＃１６）。
【０１０６】
表示された部門ＢＮＪが複数の場合に、ユーザはその中から所望の部門ＢＮＪを選択する（＃１７）。これによって連動部門認証が行われ、選択された部門ＢＮＪでログインが行われる（＃１８）。
【０１０７】
なお、画像形成装置１の提供する機能ごとに異なる部門ＢＮＪでログインする場合には、機能ＫＮを変更するときにそれまでの部門認証を解除し、再度部門認証を行うことになる。
【０１０８】
例えば、コピーとファクスとでは、出力物を提供する相手先（部門）が異なる場合が少なくない。例えば、コピーはグループ内で配布し、ファクスは別のグループへ配信する、といったような場合である。
【０１０９】
したがって、先ずはユーザ認証を行ってユーザに画像形成装置１を使用する権限を与えた上で、ユーザに使用する機能を選択させる。そして、ユーザが機能を選択したときに、機能の目的に合致した部門ＢＮＪの選択を行う。
【０１１０】
図２１は、条件として優先度の高い部門を表示するように設定されていた場合の例を示すフローチャートである。
【０１１１】
図２１において、ユーザ認証が行われると（＃２２でイエス）、ユーザに対して１つの部門ＢＮＪのみが対応付けされている場合（＃２３でノー）、その１つの部門ＢＮＪでログインする（＃２９）。
【０１１２】
複数の部門ＢＮＪが対応付けされている場合（＃２３でイエス）、ユーザが機能を選択すると（＃２４）、その機能に応じて、部門選択処理部４３による部門ＢＮＪの選択が行われる（＃２５）。優先度の高い部門ＢＮＪを表示するように設定されていた場合に、優先度の高い部門ＢＮＪを表示する（＃２６）。ユーザが、表示された部門ＢＮＪの中から１つの部門ＢＮＪを選択することによって（＃２７）、連動部門認証が行われ、選択された部門ＢＮＪでログインが行われる（＃２８）。
【０１１３】
図２２は、ユーザ認証が行われた後に操作画面ＧＭ２を表示させる場合のフローチャートである。
【０１１４】
図２２において、ユーザ認証が行われると（＃３２でイエス）、操作画面ＧＭ２が表示される（＃３３）。操作画面ＧＭにおいて、ユーザの操作によって機能ＫＮの選択が行われると（＃３４）、選択された機能に対して複数の部門ＢＮＪが対応付けされている場合（＃３５でイエス）、部門選択処理部４３による部門ＢＮＪの選択が行われる（＃３６）。そして、条件に合う部門ＢＮＪが表示される（＃３７）。
【０１１５】
複数の部門ＢＮＪが表示されている場合に、ユーザが所望の部門ＢＮＪを選択し（＃３８）。これによって連動部門認証が行われ、選択された部門ＢＮＪでログインが行われる（＃３９）。
【０１１６】
以下、各フローチャートにおける特徴的な処理を中心に説明する。
【０１１７】
図２３は、登録日ＴＲＢの古い部門ＢＮＪの優先度を高くした例のフローチャートである。
【０１１８】
図２３において、対応付け情報ＨＪに記録されている部門ＢＮＪについて、登録日ＴＲＢを互いに比較し、登録日ＴＲＢの古い部門ＢＮＪを高い優先度として部門選択する（＃４５）。選択された部門ＢＮＪについて、登録日ＴＲＢの古い順に表示する（＃４６）。
【０１１９】
したがって、例えば、あるユーザＡが既存の部門１に所属している状態で、新しいプロジェクトの立ち上げのために新しい部門２が登録されたとする。この場合に、新しく立ち上げられたプロジェクトそれ自体はまだ本格的に稼動していないという状況において、古い部門１を優先して選択することにより、ユーザＡの利便性の低下を防ぐことができる。
【０１２０】
図２４は、登録日ＴＲＢの新しい部門ＢＮＪの優先度を高くした例のフローチャートである。
【０１２１】
図２４において、対応付け情報ＨＪに記録されている部門ＢＮＪについて、登録日ＴＲＢを互いに比較し、登録日ＴＲＢの新しい部門ＢＮＪを高い優先度として部門選択する（＃５５）。選択された部門ＢＮＪについて、登録日ＴＲＢの新しい順に表示する（＃５６）。
【０１２２】
したがって、例えば、あるユーザＢが、市場フォローのみを残している古い部門１と現在進行中の新しい部門２とに所属しているとき、現在進行中の新しい部門２がメイン業務となるため、新しい部門２を優先して選択することにより、ユーザＢの利便性を向上させることができる。
【０１２３】
図２５は、直近にログインした部門ＢＮＪを選択する例のフローチャートである。
【０１２４】
図２５において、対応付け情報ＨＪに記録されている部門ＢＮＪについて、ログイン履歴ＬＲを参照し、最終のログインまたはログアウトの日時を比較する。直近にログインまたはログアウトした部門ＢＮＪを、高い優先度として部門選択する（＃６５）。直近にログインまたはログアウトした部門ＢＮＪを表示する（＃６６）。
【０１２５】
図２６は、過去における使用頻度の高い部門を選択する例のフローチャートである。
【０１２６】
図２６において、対応付け情報ＨＪに記録されている部門ＢＮＪについて、ログイン履歴ＬＲを参照し、過去のログイン回数を比較する。ログイン回数の多い部門ＢＮＪを、高い優先度として部門選択する（＃７５）。ログイン回数の多い部門ＢＮＪを表示する（＃７６）。
【０１２７】
なお、前回の操作から今回のログインまでの時間が所定時間内であれば、直近にログインした部門を優先する、というように、どの履歴情報を使用するかの設定を行うことも可能である。
【０１２８】
図２７は、ログインを行う時期に基づいて部門を選択する例のフローチャートである。
【０１２９】
図２７において、対応付け情報ＨＪに記録されている部門ＢＮＪについて、そのログインを行おうとしている時期、例えば、日、時、月、曜日などについて、関連性の高い部門を優先度の高い部門とする（＃８５）。関連性が高いとは、その時期に使用される頻度が高いことである。例えば、月末などの締切り時期などにおいては、庶務関係または経理関係の部門に対して、優先度が高いと判断する。そして、優先度が高いと判断された部門ＢＮＪを表示する（＃８６）。
【０１３０】
なお、時期と部門との関連性について、その対応関係を示す関連テーブルを作成して記憶しておけばよい。そのような関連テーブルには、例えば、各部門について、関連性の高い時期を記録しておく。また、種々のプロジェクトについて、関連性の高い時期を記録しておき、プロジェクトと部門との対応関係についても記録しておく。
【０１３１】
図２８は、ユーザの所属するグループに基づいて部門を選択する例のフローチャートである。
【０１３２】
図２８において、対応付け情報ＨＪに記録されている部門ＢＮＪについて、ユーザの所属するグループと関連性の高い部門を優先度が高いと判断する（＃９５）。例えば、ユーザＡが、部門１と部門２とに所属しているとし、ユーザＡの所属するグループＸのメンバーの対応付けされている部門については部門１の方が多いとき、ユーザＡについて部門１の優先度が高いと判断する。そして、優先度が高いと判断された部門ＢＮＪを表示する（＃９６）。
【０１３３】
図２９は、ユーザがログインする場所に基づいて部門を選択する例のフローチャートである。
【０１３４】
図２９において、対応付け情報ＨＪに記録されている部門ＢＮＪについて、ユーザがログインしようとしている場所に関連する部門を優先度が高いと判断する（＃１０５）。
【０１３５】
例えば、業務内容がフロアごとに分かれている場合に、画像形成装置１の設置された場所、つまりユーザがログインの操作をしている場所を判断する。
【０１３６】
図３０において、ユーザがフロアＡで画像形成装置１の操作を行っているとすると、ユーザがフロアＡに居るということであり、これを、ユーザがフロアＡの業務を行っているとみなし、フロアＡに関連する部門１の優先度が高いと判断する。そして、優先度が高いと判断された部門を表示する（＃１０６）。
【０１３７】
なお、この場合の判断条件としては、画像形成装置１に、その設置場所およびそのフロアで管理している部門を入力することにより判断を行う。また、そのフロアのメンバーに対応付けされている部門が多い部門を、そのフロアに関連する部門であると判断する。
【０１３８】
上に述べた実施形態によると、ユーザおよび機能ＫＮに対して対応付けられた部門ＢＮＪのうち、予め設定された条件に合う部門ＢＮＪを選択するので、ユーザが多数の部門に所属している場合であっても、部門ＢＮＪの選択が容易にかつ的確に行われる。したがって、ユーザの部門認証の操作が容易となる。
【０１３９】
上に述べた実施形態において、ユーザ認証部４１は本発明における第１認証手段またはユーザ認証手段に相当し、部門認証部４２は本発明における第２認証手段または部門認証手段に相当する。対応付け情報記憶部４８は、本発明における対応付け情報記憶手段に相当する。部門選択処理部４３は、本発明における選択処理手段に相当する。
【０１４０】
上に述べた実施形態において、ネットワークシステムＮＳおよび画像形成装置１の構成、認証処理部ＮＳの各部および全体の構成、各画面および各種の情報の構成、処理の内容または順序などは、本発明の趣旨に沿って適宜変更することができる。
【符号の説明】
【０１４１】
１  画像形成装置
２４  操作パネル（表示手段）
２７  制御部
４１  ユーザ認証部（ユーザ認証手段）
４２  部門認証部（部門認証手段）
４３  部門選択処理部（選択処理手段）
４４  表示制御部（表示制御手段）
４５  制御処理部
４６  ユーザ認証情報記憶部
４７  部門認証情報記憶部
４８  対応付け情報記憶部
４９  履歴情報記憶部（ログイン履歴記憶手段）
５１  デフォルト機能設定部（デフォルト機能設定手段）
５２  第１選択設定部（第１選択設定手段）
５３  第２選択設定部（第２選択設定手段）
ＵＮＪ  ユーザ認証情報
ＢＮＪ  部門認証情報、部門
ＨＪ  対応付け情報
ＧＭ１  ユーザ認証画面
ＧＭ２  操作画面
ＧＭ３  部門認証画面
ＧＭ４  部門選択画面
ＬＲ  ログイン履歴
ＮＳ  認証処理部
ＴＰ  タッチパネル（表示手段）
【図１】
2011004087.tif 000003
【図２】
2011004087.tif 000004
【図３】
2011004087.tif 000005
【図４】
2011004087.tif 000006
【図５】
2011004087.tif 000007
【図６】
2011004087.tif 000008
【図７】
2011004087.tif 000009
【図８】
2011004087.tif 000010
【図９】
2011004087.tif 000011
【図１０】
2011004087.tif 000012
【図１１】
2011004087.tif 000013
【図１２】
2011004087.tif 000014
【図１３】
2011004087.tif 000015
【図１４】
2011004087.tif 000016
【図１５】
2011004087.tif 000017
【図１６】
2011004087.tif 000018
【図１７】
2011004087.tif 000019
【図１８】
2011004087.tif 000020
【図１９】
2011004087.tif 000021
【図２０】
2011004087.tif 000022
【図２１】
2011004087.tif 000023
【図２２】
2011004087.tif 000024
【図２３】
2011004087.tif 000025
【図２４】
2011004087.tif 000026
【図２５】
2011004087.tif 000027
【図２６】
2011004087.tif 000028
【図２７】
2011004087.tif 000029
【図２８】
2011004087.tif 000030
【図２９】
2011004087.tif 000031
【図３０】
2011004087.tif 000032